(57)【特許請求の範囲】
【請求項１】
互いに平行に対向配置される一対の等脚台形型の端板と、該端板がなす上記等脚台形の斜辺であるこれらの端板の両側縁に連なり、両端板が対向する対向方向に各端板に垂直に延びる一対の側板とを備えて上下が開放されたハウジングの内部に、上記対向方向に中空糸膜が渡されて収容された濾過モジュールであって、上記端板は、上記等脚台形型の長さの短い上底を上側にして上端縁とするとともに、長さの長い下底を下側にして下端縁として、上記一対の側板間の間隔が、上端側より下端側が拡げられており、上記端板の下端縁の幅方向中央部には上端縁側に凹む凹所が形成されていて、この凹所の上記上端縁側の底縁の幅が該端板の上記上端縁の幅より大きくされており、この端板の上端縁と上記下端縁の凹所とは、上記凹所の底縁に上記上端縁が密着させられて互いに係合可能な形状とされていることを特徴とする濾過モジュール。
【請求項２】
上記一対の側板間の間隔が、上端側から下端側に向かうに従い一定の割合で漸次両側に拡げられていることを特徴とする請求項１に記載の濾過モジュール。
【請求項３】
同形同大の上記ハウジングを有する複数の請求項１または請求項２に記載の濾過モジュールが上下に積層されてなる濾過モジュール積層体であって、上下に隣接する一対の上記濾過モジュールは、下段の濾過モジュールの上記ハウジングにおける上記端板の上端縁部が、上段の上記濾過モジュールの上記ハウジングにおける上記端板の下端縁部に形成された上記凹所の上記底縁に密着させられることにより突き合わされて積層されていることを特徴とする濾過モジュール積層体。
【請求項４】
請求項３に記載の濾過モジュール積層体であって、上下に隣接する一対の上記濾過モジュールは、上段の濾過モジュールの上記ハウジングにおける上記一対の側板の下端縁が、下段の上記濾過モジュールの上記ハウジングにおける上記一対の側板の上端縁よりも下方に配置されていることを特徴とする濾過モジュール積層体。
【請求項５】
請求項３または請求項４に記載の濾過モジュール積層体が、原水が保持された貯水槽内または貯水池内、あるいは該貯水槽内または貯水池内に浸漬されて上記原水が導入されるケーシング内に設置されるとともに、最下段の濾過モジュールの上記ハウジングの下方には、散気手段が配設されていることを特徴とする濾過装置。
【発明の詳細な説明】
【技術分野】
【０００１】
本発明は、上下が開放されたハウジング内に中空糸膜が渡されて収容された濾過モジュール、複数の該濾過モジュールを積層した濾過モジュール積層体、および該濾過モジュール積層体が設置された濾過装置に関するものである。
【背景技術】
【０００２】
このような濾過モジュールとしては、上方および下方が開口した外形直方体状の箱枠型のケーシング内に、多数の中空糸膜を束ねた膜エレメントを、その両端をケーシングの長手方向に対向する一対の端板に取り付けることにより中空糸膜がこの長手方向に渡されるようにして収容したものが、例えば非特許文献１に提案されている。さらに、この非特許文献１には、このような濾過モジュールを多段積層してユニット化することにより大型化・高集積化し、浄水場の沈殿池等の貯水槽や貯水池に浸漬して濾過を行うこと、および濾過モジュールの下方に設置した散気管によりエアースクラビングを行う際にスクラビングエアーの有効利用を図ることも開示されている。
【非特許文献１】鹿島田、中山、笹川、松田「浸漬膜を用いた大容量膜濾過システムの開発（Ｉ）」、第５５回全国水道研究発表会講演集、社団法人日本水道協会、平成１６年５月１０日、ｐ．１８２−１８３
【発明の開示】
【発明が解決しようとする課題】
【０００３】
ところで、同形同大のこのような濾過モジュールを上述のように複数段、多段積層してユニット化する場合、ケーシングが、上下が開放された外形直方体状の箱枠型であるため、これを積層すると下段のケーシングの上端周縁に上段のケーシングの下端周縁が全周に亙って密着した状態となる。
【０００４】
しかしながら、このようなケーシング内に収容される中空糸膜は、上記散気管から散気されたエアーによる洗浄の際に揺動可能なように、ある程度の弛みを持って渡されているため、上述のようにケーシングの上下端周縁が密着して積層されると、特に中空糸膜が渡された長手方向に延びるケーシングの一対の側板の上下端縁の間に上段の濾過モジュールの弛んだ中空糸膜が噛み込まれて破損してしまうおそれがある。なお、この中空糸膜の噛み込みは、こうして濾過モジュールを積層する場合以外に、例えば中空糸膜の交換等のメンテナンスの際などに、濾過モジュールを上記沈殿槽等から引き上げて床面に載置したときにも起こり得る。
【０００５】
また、こうして複数の濾過モジュールのケーシングが互いの上下端周縁を密着させて１本の筒状をなすように構成されていると、散気管から散気されたエアーはケーシング外に漏れ難くなるため上述のようにスクラビングエアーの有効利用を図ることができる反面、エアーによる洗浄によって中空糸膜から剥離した濁質もケーシング外に排出され難くなり、例えば洗浄後に貯水槽内の原水を濁質とともに排出した場合には、ケーシング内での水位の低下に伴い濁質が中空糸膜に再付着してしまうおそれがある。
【０００６】
その一方で、上述のような複数の濾過モジュールを積層した際の中空糸膜の噛み込みを防いだり、洗浄後の濁質の再付着を防いだりするため、ケーシング同士の間に間隔があけられるように例えばスペーサ等を介して積層したのでは、上記散気管により中空糸膜の洗浄を行う際に散気されたエアーがこの間隔部分から漏れ出てしまうので、特に上段の濾過モジュールにおいて洗浄効率が損なわれてしまうことが避けられない。
【０００７】
本発明は、このような背景の下になされたもので、特に複数段積層した場合や床面に載置した際の中空糸膜の破損を防ぐことができるとともに、散気によるエアーは逃がすことなく効率的な洗浄が可能である一方で、洗浄によって剥離した濁質は中空糸膜の周囲から排出され易くして再付着するのを抑えることが可能な濾過モジュール、該濾過モジュールを積層した濾過モジュール積層体、およびこの濾過モジュール積層体を用いた濾過装置を提供することを目的としている。
【課題を解決するための手段】
【０００８】
上記課題を解決して、このような目的を達成するために、本発明の濾過モジュールは、互いに平行に対向配置される一対の等脚台形型の端板と、該端板がなす上記等脚台形の斜辺であるこれらの端板の両側縁に連なり、両端板が対向する対向方向に各端板に垂直に延びる一対の側板とを備えて上下が開放されたハウジングの内部に、上記対向方向に中空糸膜が渡されて収容された濾過モジュールであって、上記端板は、上記等脚台形型の長さの短い上底を上側にして上端縁とするとともに、長さの長い下底を下側にして下端縁として、上記一対の側板間の間隔が、上端側より下端側が拡げられており、上記端板の下端縁の幅方向中央部には上端縁側に凹む凹所が形成されていて、この凹所の上記上端縁側の底縁の幅が該端板の上記上端縁の幅より大きくされており、この端板の上端縁と上記下端縁の凹所とは、上記凹所の底縁に上記上端縁が密着させられて互いに係合可能な形状とされていることを特徴とする。
【０００９】
また、本発明の濾過モジュール積層体は、同形同大の上記ハウジングを有する複数のこのような濾過モジュールが上下に積層されてなる濾過モジュール積層体であって、上下に隣接する一対の上記濾過モジュールは、下段の濾過モジュールの上記ハウジングにおける上記端板の上端縁部が、上段の上記濾過モジュールの上記ハウジングにおける上記端板の下端縁部に形成された上記凹所の上記底縁に密着させられることにより突き合わされて積層されていることを特徴とし、さらに本発明の濾過装置は、このような濾過モジュール積層体が、原水が保持された貯水槽内または貯水池内、あるいは該貯水槽内または貯水池内に浸漬されて上記原水が導入されるケーシング内に設置されるとともに、最下段の濾過モジュールの上記ハウジングの下方には、散気手段が配設されていることを特徴とする。
【００１０】
本発明の濾過モジュールでは、ハウジングの一対の端板が対向する対向方向に延びる一対の側板間の間隔が、上端側より下端側が拡げられているので、同形同大の上記ハウジングを有する複数のこのような濾過モジュールを積層した本発明の濾過モジュール積層体では、これら複数の濾過モジュールのうち、下段の濾過モジュールのハウジングにおける側板の上端縁と、上段の濾過モジュールのハウジングにおける側板の下端縁とは密着することがなく、この上段の側板下端縁が下段の側板上端縁より外側に張り出すようにして間隔があけられることになる。
【００１１】
従って、上記対向方向に渡された中空糸膜にある程度の弛みが与えられていても、この中空糸膜が上下段の濾過モジュールのハウジング側板の上下端縁に噛み込まれるのを防ぐことができ、その破損を防止することが可能となる。なお、これは、濾過モジュールのメンテナンス等の際にハウジングを床面に載置する場合も同様であり、このようなハウジングの下端縁を床面に接地させて載置しても、一対の側板の下端縁は側板同士の間隔が上端縁よりも拡げられて側方に張り出して設置する一方で、中空糸膜は一対の端板の内面から上記対向方向に向けて鉛直下方に弛むので、ハウジングの下端縁によって中空糸膜が噛み込まれることはない。
【００１２】
また、このような濾過モジュール積層体を、原水が保持された貯水槽内または貯水池内、あるいは該貯水槽内または貯水池内に浸漬されて上記原水が導入されるケーシング内に設置するとともに、最下段の濾過モジュールの上記ハウジングの下方に散気手段を配設した本発明の濾過装置では、上述のように上段のハウジングの側板下端縁は下段のハウジングの側板上端縁よりも外側に張り出しているので、散気手段から散気されたエアーは下段の濾過モジュールの上方開口部から上段の濾過モジュールに上昇する際に外に漏れ出ることはない。
【００１３】
そして、こうして散気手段から散気されたエアーにより中空糸膜から剥離した濁質が浮遊する原水を上記貯水槽や貯水池、あるいはケーシング内から排出する際には、その水位の低下に伴い原水は、各濾過モジュールのハウジング内からその下段の濾過モジュールのハウジング内に流れるとともに、下段のハウジングの側板上端縁と上段のハウジングの側板下端縁との間の上記間隔をあけた部分からも流れ出ることになる。従って、このような濁質が浮遊した原水すべてがそのまま下段の濾過モジュールに流れ込むのが防がれることにより、この下段の濾過モジュールの中空糸膜に濁質が再付着するのも抑制することができ、汚れた原水を排出した後に新たな原水を貯水槽等内に供給して濾過を再開することが可能となる。
【００１４】
なお、上記構成の濾過モジュールにおいて、上述のように一対の側板間の間隔を上端側より下端側が拡げるようにするには、例えばこれら一対の側板を、上端縁から下端縁に向かうに従い漸次側方にせり出す凹曲線状や凸曲線状に形成したり、あるいは上端縁側では真っ直ぐ下方に延びて下端縁側で漸次側方にせり出すように傾斜させて形成したり、逆に上端縁側で下端縁に向かうに従い側方にせり出すように傾斜して下端縁側では真っ直ぐ延びるように形成したりしてもよいが、これらの場合には側板をこのように曲折して形成しなければならない。
【００１５】
そこで、上記一対の側板間の間隔は、上端側から下端側に向かうに従い一定の割合で漸次両側に拡げられるようにするのが望ましく、これにより側板は平板状のものを上端側から下端側に向けて傾斜させて配設すればよくなって、当該濾過モジュールのハウジングを容易に形成することが可能となる。
【００１６】
そして、さらに本発明の濾過モジュールでは、等脚台形型の上記端板の下端縁の幅方向中央部に上端縁側に凹む凹所を形成して、この凹所の上記上端縁側の底縁の幅を該端板の上記上端縁の幅より大きくし、この端板の上端縁と上記下端縁の凹所とを、凹所の底縁に上端縁を密着させて互いに係合可能な形状とすることにより、上記濾過モジュール積層体のように下段の濾過モジュールのハウジングにおける端板の上端縁部を、上段の濾過モジュールのハウジングにおける端板の下端縁部に形成された凹所の底縁に密着させられることによって突き合わせて積層するときに、この上段の濾過モジュールの端板下端縁部の凹所に下段の濾過モジュールの端板上端縁部を挿入して係合させることができる。
【００１７】
従って、例えば端板の上下端に側板の上下端が一致するように側板の両側縁を端板の両側縁に連設しておけば、この係合状態で上段の濾過モジュールのハウジングにおける上記一対の側板の下端縁部は、上述のように下段の上記濾過モジュールの上記ハウジングにおける上記一対の端板の上端縁部よりも下方に配置されて、間隔が大きくされた上段の濾過モジュールの一対の側板間に挿入されることになるので、散気手段からのエアーの漏れを一層確実に防ぐことが可能となる。しかも、一対の端板は、その下端縁中央部に上記凹所が形成されることにより、下端縁の両端部は下方に突出した脚部をなすことになり、メンテナンスの際にはこの脚部をそのまま床面に接地させて載置することができるので、メンテナンス性の向上を図ることもできる。
【発明の効果】
【００１８】
以上説明したように、本発明の濾過モジュール、濾過モジュール積層体、および濾過装置によれば、メンテナンス等の際に濾過モジュールを単体で床面に載置するときや、複数の濾過モジュールを積層して上記濾過モジュール積層体を構成するときに、中空糸膜が噛み込まれて破損を生じるような事態を防ぐことができる。また、積層体として原水の濾過を行った後に散気によって中空糸膜の洗浄を行う際には、散気によるエアーを逃がすことなく上段の濾過モジュールにまで上昇させて効率的な洗浄を図ることができる一方、こうして洗浄により中空糸膜から濁質が剥離した原水を排出する際には、濁質が下段の濾過モジュールの中空糸膜に再付着するのを抑制して、新たな原水の濾過を効率よく行うことが可能となる。
【発明を実施するための最良の形態】
【００１９】
図１ないし図４は本発明の濾過モジュールの一実施形態を示すものであり、図５ないし図８は同形同大の複数（２つ）のこの実施形態の濾過モジュールを上下に積層した本発明の濾過モジュール積層体の一実施形態を示すものであり、図９ないし図１２は同濾過モジュールを４つ上下に積層した他の実施形態の濾過モジュール積層体を原水が保持される貯水槽に浸漬した本発明の濾過装置の一実施形態を示すものである。なお、図９ないし図１２には、非特許文献１に記載されたような従来の濾過モジュールを上下に積層した濾過モジュール積層体も比較のために示してある。
【００２０】
本実施形態の濾過モジュール１は、図１および図２に示すように略等脚台形型の平板状をなして互いに平行に対向配置される一対の端板２と、これらの端板２の両側縁２Ａ、すなわち該端板２がなす上記等脚台形の斜辺に連なり、両端板２が対向する対向方向に各端板２に垂直に延びる一対の側板３とから構成される上下が開放されたハウジング４を有している。なお、このハウジング４を構成する端板２および側板３は、例えばＡＢＳ樹脂等により形成されている。
【００２１】
端板２は、その上記等脚台形の長さの短い上底を上側にして上端縁２Ｂとするとともに、長さの長い下底を下側にして下端縁２Ｃとしており、従って両側縁２Ａ間の幅は上端縁２Ｂ側から下端縁２Ｃ側に向かうに従い一定の割合で漸次幅広となるようにされる。また、端板２の下端縁２Ｃには、その中央部に、上端縁２Ｂ側に向けて凹む凹所５が形成されている。この凹所５は、上記下端縁２Ｃ中央部をやはり等脚台形状に切り欠くようにして形成されたものであって、上下端縁２Ｂ、２Ｃに平行な底縁５Ａと、この底縁５Ａの両端からそれぞれ端板２の両側縁２Ａに平行に下端縁２Ｃに向かうに従い互いに離間するように延びる一対の内縁５Ｂとを備えている。
【００２２】
なお、底縁５Ａの長さは端板２の上端縁２Ｂの長さよりも僅かに長くされ、下端縁２Ｃからこの底縁５Ａまでの凹所５の深さは、例えば上端縁２Ｂから底縁５Ａまでの長さが上端縁２Ｂの長さと略等しくなる程度とされていて、上端縁２Ｂが下端縁２Ｃの凹所５に係合可能な形状とされている。また、このような凹所５が形成されることにより、端板２の下端縁２Ｃ両端側には相対的に下方に向けて突出する一対の脚部６が形成される。
【００２３】
側板３は、この脚部６も含めた端板２の上記側縁２Ａと等しい長さと、この長さよりも大きな上記対向方向への幅とを有する長方形平板状とされており、側縁２Ａに接合されたり、あるいは側縁２Ａから端板２に垂直に折れ曲がるように一体形成される図示されない板片部などにボルト止めされたり、場合によっては端板２と一体成形されたりすることにより、該側板３の上端縁３Ａから下端縁３Ｂに向かうに従い側方に張り出すように傾斜して上記側縁２Ａに連設されている。従って、一対の側板３間の間隔（端板２の幅方向（各図において左右方向）の間隔）は、その上端縁３Ａから下端縁３Ｂに向かうに従い一定の割合で漸次大きくなる。なお、これら端板２の上端縁２Ｂと側板３の上端縁３Ａ、端板２の脚部６における下端縁２Ｃと側板３の下端縁３Ｂとは、互いの上下端がそれぞれ一致させられて同一平面上に位置させられている。
【００２４】
さらに、こうして構成されたハウジング４内には、中空糸膜７が上記対向方向に渡されるようにして収容されている。この中空糸膜７は、例えば上下方向に配列されたシート状のものを端板２の幅方向（各図において左右方向）に多数並列に配置して膜エレメント７Ａをなし、その両端部が端板２の互いに対向する内面に取り付けられたヘッダ７Ｂに接続されて固定されている。本実施形態では、このような膜エレメント７Ａが４つ、上記ヘッダ７Ｂを端板２の上端縁２Ｂと凹所５の底縁５Ａとの間に位置させるようにして、上記対向方向に見て格子状をなすように配設されている。
【００２５】
このように構成された濾過モジュール１が、そのメンテナンスなどのために図３に示すように床面Ｇ上に載置される際には、上記脚部６における端板２の下端縁２Ｃと、この脚部６の上記側縁２Ａに連なる側板３の下端縁３Ｂとが接地して、内部に収容された中空糸膜７が支持される。従って、この中空糸膜７にある程度の弛みが与えられていても、端板２に固定された両端部では中空糸膜７は床面Ｇに接することはなく、また中央部で中空糸膜７が床面Ｇに接しても、側板３の下端縁３Ｂは図３や図４に示すように側方に張り出すようにして一対の側板３間に大きな間隔があけられているので、この下端縁３Ｂと床面Ｇとの間に中空糸膜７が噛み込まれることはない。
【００２６】
また、端板２にはその下端縁２Ｃ中央部に凹所５が形成されて、これとは相対的に両端部には脚部６が形成されており、床面Ｇに濾過モジュール１を載置した状態では端板２と床面Ｇとの間に、図３に示すように凹所５による空間があけられることになる。従って、この空間を介して、例えば収容された中空糸膜７の膜エレメント７Ａすべてを取り外したりせずとも、下側の膜エレメント７Ａ両端部のヘッダ７Ｂのメンテナンスを行ったりすることができ、メンテナンス性の向上を図ることも可能となる。
【００２７】
一方、このような濾過モジュール１を複数積層した本実施形態の濾過モジュール積層体では、図５ないし図７に示すように下段の濾過モジュール１の端板２上端縁部が、上段の濾過モジュール１の端板２の下端縁２Ｃ中央部に突き合わされ、より詳しくはこの下端縁２Ｃ中央部に形成された凹所５に挿入されて、この凹所５の上記底縁５Ａに下段の端板２の上端縁２Ｂが密着させられて係合し、ハウジング４同士が一体化させられる。なお、このようにハウジング４同士を一体化するには、例えばこれら密着させられる底縁５Ａと上端縁２Ｂとに、やはり端板２に垂直に折れ曲がるように一体形成される図示されない板片部をそれぞれ形成しておいて、これらの板片部同士をボルト止め等により締結したりして固定すればよい。
【００２８】
このように構成される濾過モジュール積層体においては、中空糸膜７が端板２の対向方向に渡されてその両端部が端板２に支持されているので、互いに密着する上段の濾過モジュール１のハウジング４における端板２の凹所５の底縁５Ａと、下段の濾過モジュール１のハウジング４における端板２の上端縁２Ｂとの間に中空糸膜７が噛み込まれることはない。そして、さらに上下段の濾過モジュール１のハウジング４における側板３同士では、図８に示すように上段の側板３の下端縁３Ｂが下段の側板３の上端縁３Ａよりも下方にあって側方に張り出すように位置させられ、これら上下端縁３Ａ、３Ｂが密着することがないので、中空糸膜７に弛みが与えられていても、上端縁３Ａからはみ出す程度で、やはり噛み込みを生じるようなことはない。
【００２９】
従って、上記構成の濾過モジュール１およびこれを複数積層した濾過モジュール積層体によれば、このように濾過モジュール１のメンテナンス時や複数の濾過モジュール１を積層して上記濾過モジュール積層体を構成する際に中空糸膜７の噛み込みによる破損が生じるのを防ぐことができる。このため、コストの低減を図ることができるのは勿論、メンテナンスの手間が余計に増えたり、複数の濾過モジュール１を積層して濾過モジュール積層体を組み立てる際に中空糸膜７が噛み込まれないように細心の注意を払う必要が生じたりするのを避けることができる。
【００３０】
さらにまた、このような濾過モジュール積層体を、図９ないし図１２の右側に示したように原水Ｗが保持される貯水槽１１に浸漬した濾過装置では、図９に示すように積層された濾過モジュール１のうち最下段の濾過モジュール１の下方に、例えば多数の下向きに開口する空気孔を有する１本または複数本の散気管あるいは焼結管等よりなる散気手段１２が配設される。なお、こうして浸漬された濾過モジュール積層体の各濾過モジュール１には、その膜エレメント７Ａの上記ヘッダ７Ｂに図示されない濾過水管が接続され、中空糸膜７を介して原水Ｗを濾過した濾過水はこの濾過水管を通して排出される。
【００３１】
また、同図９ないし図１２の左側に示すのは、上述したように従来の上下が開放された外形直方体状の箱枠型のハウジング（ケーシング）２１を有してその内部に中空糸膜よりなる膜エレメント２２が収容された濾過モジュール２３を複数積層した濾過モジュール積層体であって、図９に示すように上下段の濾過モジュール２３はハウジング２１の上下端縁を互いに密着させて固定されており、従ってハウジング２１は全体として上下に延びる方形角筒状を呈することになる。また、最下段の濾過モジュール２３の下方にはやはり散気手段２４が配設されている。
【００３２】
このような、従来の濾過モジュール２３を複数積層した濾過モジュール積層体によって原水Ｗの濾過を行った後に、上記散気手段２４からエアーを散気して膜エレメント２２の洗浄を行おうとすると、エアーは図１０左側に白抜き矢線で示すようにハウジング２１外に逃げることなく上昇するものの、このエアーの上昇に伴って原水Ｗがハウジング２１内に流入しようとしても、図１０左下側に黒矢線で示すようにその流入口は最下段の濾過モジュール２３におけるハウジング２１の下側開口部しかなく、このため膜エレメント２２の中空糸膜表面からエアースクラビングによって剥離した濁質を十分にハウジング２１外に排出することができない。
【００３３】
これに対して、本実施形態の濾過装置では、散気手段１２から散気されたエアーの上昇に伴い濾過モジュール積層体の各濾過モジュール１におけるハウジング４内の原水Ｗが上昇すると、これに引き込まれるようにして同図１０の右側に黒矢線で示すようにハウジング４外の原水Ｗが、積層された下段のハウジング４における側板３の上端縁３Ａと上段のハウジング４における側板３の下端縁３Ｂとの間の間隙から上段の濾過モジュール１のハウジング４内に個々に流入するので、エアースクラビングにより剥離した濁質を確実かつ効率的にハウジング４外に排出することができる。
【００３４】
また、こうして散気手段１２、２４のエアースクラビングによる洗浄の後に、剥離した濁質が浮遊した貯水槽１１内の原水Ｗを、例えば図１１および図１２に示すように該貯水槽１１の底部に設けた排水口１１Ａから一旦排出し、次いで新たな原水Ｗを貯水槽１１に導入して濾過を行う場合も、従来の濾過モジュール２３よりなる濾過モジュール積層体を浸漬した濾過装置では、同図１１および図１２左側に示すように貯水槽１１内の原水Ｗの水位低下に伴い、積層されたハウジング２１内の原水Ｗはそのまま該ハウジング２１内を順に通って最下段の濾過モジュール２３におけるハウジング２１の下側開口部から排出されるだけである。すなわち、上述のようにハウジング２１外に十分に排出されなかった濁質を伴う原水Ｗが、そのままハウジング２１内を通って排水されるため、濁質が膜エレメント２２の中空糸膜に再付着してしまい、新たな原水Ｗを導入して濾過を再開したときに濾過効率を損なう結果となる。
【００３５】
ところが、これに対しても本実施形態では、図１１および図１２の右側に黒矢線で示すように、貯水槽１１内の原水Ｗの水位低下に伴い濾過モジュール積層体の各ハウジング４から排出される原水Ｗは、下段側の濾過モジュール１のハウジング４内に流れ込むほかに、上下段の濾過モジュール１のハウジング４における上記側板３同士の上下端縁３Ａ、３Ｂ間にあけられた間隔部分からハウジング４外にも排出される。従って、エアースクラビングによる洗浄の際に濁質をハウジング４外に排出できることとも相俟って、本実施形態の濾過装置によれば、こうして貯水槽１１内の原水Ｗを排出した際に濁質が中空糸膜７に再付着するのを防ぐことができ、新たな原水Ｗを貯水槽１１内に導入したときにも高い効率で濾過を再開することができる。
【００３６】
なお、これら図９ないし図１２に示した実施形態の濾過装置では、図５ないし図８に示した実施形態の濾過モジュール積層体を、底部に排水口１１Ａを設けた貯水槽１１に浸漬する場合について説明したが、例えば排水管を槽内に挿入して底部に開口させるようにしてもよく、またそのようにした貯水池に上記実施形態の濾過モジュール積層体を浸漬するとともに、その最下段の濾過モジュール１の下方に散気手段１２を配設するようにしてもよい。
【００３７】
さらに、こうして貯水槽１１や貯水池に保持された原水Ｗに濾過モジュール積層体を直接浸漬するのに代えて、本発明の発明者が例えば特開２００５−０４６６９８号公報等で提案しているように、原水が保持された貯水槽や貯水池内に浸漬される有底筒状のケーシング内に上記実施形態の濾過モジュール積層体と散気手段１２とを収容し、このケーシング内に貯水槽や貯水池の原水を導入して濾過を行うようにしてもよい。
【図面の簡単な説明】
【００３８】
【図１】本発明の濾過モジュールの一実施形態を示す斜視図である。
【図２】図１に示す実施形態の側板３を取り外した状態を示す分解斜視図である。
【図３】図１に示す実施形態の端板２と膜エレメント７Ａとを示す、一対の端板２の対向方向に直交する断面図である。
【図４】図１に示す実施形態の側板３と膜エレメント７Ａとを示す、一対の端板２の対向方向に直交する断面図である。
【図５】本発明の濾過モジュール積層体の一実施形態を示す斜視図である。
【図６】図５に示す実施形態の上段の濾過モジュール１の側板３を取り外した状態を示す分解斜視図である。
【図７】図５に示す実施形態の端板２と膜エレメント７Ａとを示す、一対の端板２の対向方向に直交する断面図である。
【図８】図５に示す実施形態の側板３と膜エレメント７Ａとを示す、一対の端板２の対向方向に直交する断面図である。
【図９】本発明の濾過装置の一実施形態（右側）および従来の濾過モジュール２３による濾過装置（左側）の側板３と膜エレメント７Ａ、２２とを示す、一対の端板２の対向方向に直交する断面図である。
【図１０】図９に示す濾過装置において膜エレメント７Ａ、２２を洗浄する状態を示す断面図である。
【図１１】図９に示す濾過装置において貯水槽１１内の原水Ｗを排出し始める状態を示す断面図である。
【図１２】図９に示す濾過装置において貯水槽１１内の原水Ｗを排出している状態を示す断面図である。
【符号の説明】
【００３９】
１  濾過モジュール
２  端板
２Ｂ  端板２の上端縁
２Ｃ  端板２の下端縁
３  側板
３Ａ  側板３の上端縁
３Ｂ  側板３の下端縁
４  ハウジング
５  凹所
５Ａ  凹所５の底縁
６  脚部
７  中空糸膜
７Ａ  膜エレメント
７Ｂ  ヘッダ
１１  貯水槽
１１Ａ  排水口
Ｗ  原水
【図１】
0005425394.tif 000002
【図２】
0005425394.tif 000003
【図３】
0005425394.tif 000004
【図４】
0005425394.tif 000005
【図５】
0005425394.tif 000006
【図６】
0005425394.tif 000007
【図７】
0005425394.tif 000008
【図８】
0005425394.tif 000009
【図９】
0005425394.tif 000010
【図１０】
0005425394.tif 000011
【図１１】
0005425394.tif 000012
【図１２】
0005425394.tif 000013